(57)【要約】【課題】調色判定用の合成樹脂製シートに調色した塗料を吹き付ける際の固定と色の止まりづらさを解決する方法、及び塗装した合成樹脂製シートと元の車体の色とを容易に比較する方法を提供すること。【解決手段】合成樹脂製シートを羽子板状の台に置き、クリップで固定する。  前記合成樹脂製シートと羽子板状の台の間にスクリーンを設けて色の止まり感を得られるようにする。  塗装した前記合成樹脂製シートと車体の色との比較用に額縁状の識別枠を使用することで、容易に比較可能となる。【選択図】図１
2011000551.tif 000002
【特許請求の範囲】
【請求項１】
調色判定用の合成樹脂製シートを塗装する際に、
該合成樹脂製シートを羽子板状の台に置いて、クリップで固定し、
前記合成樹脂製シートと前記羽子板状の台の間にスクリーンを設けて、前記合成樹脂製シートに塗料を吹き付け易くするとともに、色の止まり感を容易に得られることを特徴とする、調色判定板塗装方法。
【請求項２】
前記合成樹脂製シートと前記羽子板状の台の間のスクリーンを着色することを特徴とする、請求項１記載の調色判定板塗装方法。
【請求項３】
前記合成樹脂製シートと前記羽子板状の台の間のスクリーンを格子状に印刷又は着色することを特徴とする、請求項１又は２記載の調色判定板塗装方法。
【請求項４】
前記合成樹脂製シートと車体との調色判定において額縁状の識別枠を使用する請求項１乃至３記載の調色判定板塗装方法
【発明の詳細な説明】
【技術分野】
【０００１】
本発明は、塗装前の調色判定が容易な調色判定板塗装方法に関する。
【背景技術】
【０００２】
自動車の補修塗装においては、補修箇所と車輌本来の塗装色とが一致する事が求められるため、調色判定板に調色した色を吹付け、元の車輌の色と比較して塗装する色を決定している。
調色判定板としては、ゴムマグネット製シート、紙製シート、合成樹脂製シートの三種類が用いられているが、ゴムマグネットの場合はシート自体の厚さが判定の妨げとなる。
紙の場合は塗料が紙に吸い込まれてしまうため、色の具合が若干異なること、車輌の表面にきちんと沿わないという欠点がある。
合成樹脂製シートの場合は色が透けてしまい色の止まり感が分からないという欠点がある。これは仮に合成樹脂製シート自体が着色され一見透明感が無いように見えても、合成樹脂製シートの厚さが薄いことが求められるため、必ず透明感が出てしまう。
【先行技術文献】
【特許文献】
【０００３】
【特許文献１】実開平４−１３５４００号公報
【非特許文献】
【０００４】
【非特許文献１】株式会社リペアテック出版著  「自動車塗装ガイドブック」
【発明の概要】
【発明が解決しようとする課題】
【０００５】
合成樹脂製シートはシート自体の厚さを薄くすることが出来るので、車輌の色と対比したときに、色の違いが識別しやすい特徴があり、塗料が材質に染みこまないので、正確に色を判定することが出来るという特徴がある。
しかし、色の止まり感が分かり難いうえに、シート自体が軽量且つ剛性が無いため、シート自体を手に持って直接色を吹き付けることが困難であり、合成樹脂製シートを用いて容易に止まり感が得られ、且つ容易に調色した塗料を吹付けられる方法が求められていた。
【課題を解決するための手段】
【０００６】
請求項１の発明は、合成樹脂製シートを羽子板状の台に置き、クリップで固定し、且つ羽子板状の台の表面に合成樹脂製シートの透明感を打ち消すためのスクリーンを設け、容易に調色した塗料を吹き付けられるうえ、容易に色の止まり感が得られることを特徴とする調色判定板塗装方法に関する。
【０００７】
請求項２の発明は、羽子板状の台の表面に着色したスクリーンを設けて、色の止まり感を得られやすくすることを特徴とする、請求項１記載の調色判定板塗装方法に関する。
【０００８】
請求項３の発明は羽子板状の台の表面に格子状の模様を印刷又は着色して、色の止まり感を得られやすくすることを特徴とする、請求項１記載の調色判定板塗装方法に関する。
【０００９】
請求項４の発明は調色した塗料を合成樹脂製シートに吹き付けた後、乾燥した状態で、元の車輌の表面に当てて、比較するこの際に、中央に仕切りの入った額縁状の調色識別枠を用いて比較することを特徴とする、請求項１記載の調色判定板塗装方法に関する。
【発明の効果】
【００１０】
請求項１に係る発明によれば、合成樹脂製シートを安定させた状態で調色した塗料を吹き付けることが出来、更に羽子板状の台の表面に設けたスクリーンによって色の止まり感を得られることが出来る。
【００１１】
請求項２に係る発明によれば、羽子板状の台の表面に設けたスクリーンに着色することによって色の止まり感を容易に得られることが出来る。
【００１２】
請求項３に係る発明によれば、羽子板状の台の表面に設けたスクリーンに格子状の模様を印刷又は着色することによって色の止まり感を容易に得られることが出来る。
【００１３】
請求項４に係る発明によれば、塗装した調色シートを元の車輌と比較する際に、中央に仕切りの入った額縁状の識別枠を当てることにより、調色した色と元の車輌の色の四方が枠によって囲まれることにより、明確に色の違いを判別することが可能になる。
【図面の簡単な説明】
【００１４】
【図１】図１は羽子板状の台にクリップとスクリーンを設けた実施方法を示した説明図である。（実施例１）
【図２】図２は羽子板状の台にクリップと着色したスクリーンを設けた実施方法を示した説明図である。（実施例２）
【図３】図３は羽子板状の台にクリップと格子状に印刷又は着色したスクリーンを設けた実施方法を示した説明図である。（実施例３）
【図４】図４は塗装した合成樹脂製シートを元の車輌の色と比較するため、識別枠を使用する実施方法を示した説明図である。（実施例４）
【発明を実施するための形態】
【００１５】
合成樹脂製シートの背面にスクリーンを設けることによって色の止まり感が容易に得られ、識別枠によって元の車輌との比較が容易になった。
【実施例１】
【００１６】
図１は、本発明の第1実施例を示す図であって、合成樹脂製シート（１）を羽子板状の台（２）に置いて、クリップ（４）で固定する。
合成樹脂製シート（１）と羽子板状の台（２）の間にスクリーン（３）を設ける。
合成樹脂製シート（１）に塗料を吹き付ける際、合成樹脂製シート（１）が羽子板状の台（２）に固定され、吹き付け作業が容易に行え、且つスクリーン（３）の効果で、色の止まり感が容易に得られる。
羽子板状の台（２）の延長上に、塗装する際作業者の手に塗料が付着しないように斜めに傾斜したガード板（２１）及び、把手（２２）が取り付けられる。
この場合、スクリーン（３）を設ける代わりに羽子板状の台（２）がそのままスクリーンとして機能させてもよい。
作業者は把手（２２）を持ちながら安定した状態で、手の汚れを気遣うことなく、調色した塗料を吹き付けることが出来、且つスクリーン（３）の効果で色の止まり感を得られることが出来る。
合成樹脂製シート（１）の使用例として、材質は、シンナーなどの溶剤を含んだ塗料を吹き付けるため、耐溶剤製に優れたPET、PP、PEなどの素材が使用される。
塗装後の乾燥を促進する為、熱で乾燥する場合を想定して、好ましくは耐熱性に優れたPETが使用することが考えられる。
合成樹脂製シート（１）のサイズとしては厚さ０．１mm前後、幅８０ｍｍ乃至１２０ｍｍ、長さ１４０ｍｍ乃至１７０ｍｍ程度のものが好適に使用される。
【００１７】
図２は、本発明の第２実施例を示す図であって、合成樹脂製シート（１）を羽子板状の台（２）に置いて、クリップ（４）で固定する。
合成樹脂製シート（１）と羽子板状の台（２）の間に着色したスクリーン（３）を設ける。
着色する色は、実際に車輌を塗装する際の下塗り塗料であるサフェーサーと同色の灰色、色の止まり感が得られやすいピンク色などが好適に使用される。
この場合、スクリーン（３）に着色する代わりに羽子板状の台（２）に直接着色しても同様の効果が得られる。
スクリーン（３）を着色したことで、着色した背景に向かって色を吹き付けるため、色の止まり感が容易に得られる。
【００１８】
図３は、本発明の第３実施例を示す図であって、合成樹脂製シート（１）を羽子板状の台（２）に置いて、クリップ（４）で固定する。
合成樹脂製シート（１）と羽子板状の台（２）の間に格子状に印刷又は着色したスクリーン（３）を設ける。
この場合、スクリーン（３）に印刷又は着色する代わりに羽子板状の台（２）に直接印刷又は着色しても同様の効果が得られる。
印刷又は着色する色は、白と灰色、白とピンク色、灰色とピンク色などの組み合わせが好適に使用される。
スクリーン（３）を格子状にすることで、複数の色が規則正しく配列された背景に向かって色を吹き付けるので、色の止まり感が容易に得られる。
【００１９】
図４は、本発明の４実施例を示す図であって、調色した色を合成樹脂製シート（１）に吹き付けた後、元の車輌と比較する際に識別枠（５）を当てて色の違いを判定する。
識別枠（５）を使用することで調色した色と元の車輌の色（６）の四方に明確な枠が出来るため色の違いを容易に識別することが出来る。
【産業上の利用可能性】
【００２０】
本発明は、自動車など工業製品の塗装前に、塗色の判定用に利用される。
【符号の説明】
【００２１】
１    合成樹脂製シート
２    羽子板状の台
３    スクリーン
４    クリップ
５    識別枠
６    元の車輌の色
２１  ガード板
２２  把手
【図１】
2011000551.tif 000003
【図２】
2011000551.tif 000004
【図３】
2011000551.tif 000005
【図４】
2011000551.tif 000006